(57)【要約】【課題】混練対象であるゴムが、ロータに巻き込まれることを抑制することができる、ゴム混練機の排出口を開閉するドアを提供すること。【解決手段】ゴム混練機１００のチャンバ３１の底部に形成された排出口３７を開閉する、チャンバ３１に挿入される側が左右対称の山形状とされたドア３２である。このドア３２は、長手方向に直交する断面視において、前記山形状の外形４が、排出口３７の内方側開口端と接するドア下端角部３２ａと、鉛直方向に最も高いドア頂部３２ｂとの間において、相互に異なる角度で水平方向に対して傾斜した複数の直線４ａ、４ｂ、４ｃで構成されている。【選択図】図２
2018118509.tif 000002
【特許請求の範囲】
【請求項１】
ゴム混練機のチャンバの底部に形成された排出口を開閉する、前記チャンバに挿入される側が左右対称の山形状とされたドアであって、
長手方向に直交する断面視において、前記山形状の外形が、前記排出口の内方側開口端と接するドア下端角部と、鉛直方向に最も高いドア頂部との間において、相互に異なる角度で水平方向に対して傾斜した複数の直線で構成されている、
ゴム混練機の排出口を開閉するドア。
【請求項２】
請求項１に記載のドアにおいて、
前記外形が、相互に異なる角度で水平方向に対して傾斜した３つの直線で構成されている、
ゴム混練機の排出口を開閉するドア。
【請求項３】
請求項２に記載のドアにおいて、
長手方向に直交する断面視において、前記ドア下端角部を原点、水平方向をｘ軸、水平方向における前記ドア下端角部から前記ドア頂部への方向をｘ軸の正、鉛直方向をｙ軸、鉛直方向における前記ドア下端角部から前記ドア頂部への方向をｙ軸の正、前記原点と前記ドア頂部との間の水平方向の距離をＬとしたとき、０≦ｘ≦０．５Ｌの範囲の前記外形が、式（１）を満たす領域を通過する直線とされている、
ゴム混練機の排出口を開閉するドア。
ｔａｎ（θ＋１０）×ｘ≦ｙ≦ｔａｎ（θ＋３１）×ｘ  ・・・・・式（１）
θ：ゴム混練機のロータの回転中心を中心とする前記原点を通る円の前記原点における接線の水平方向に対する傾斜角
【請求項４】
請求項３に記載のドアにおいて、
０．５Ｌ≦ｘ≦０．７５Ｌの範囲の前記外形が、式（２）を満たす領域を通過する直線とされている、
ゴム混練機の排出口を開閉するドア。
2018118509.tif 000006
・・・・・式（２）
θ：ゴム混練機のロータの回転中心を中心とする前記原点を通る円の前記原点における接線の水平方向に対する傾斜角
【請求項５】
請求項３または４に記載のドアにおいて、
０．７５Ｌ≦ｘ≦Ｌの範囲の前記外形が、式（３）を満たす領域を通過する直線とされている、
ゴム混練機の排出口を開閉するドア。
ｔａｎ（θ＋４１）×ｘ＋ｂ２≦ｙ≦ｔａｎ（θ＋４５）×ｘ＋ｂ１  ・・・・式（３）
θ：ゴム混練機のロータの回転中心を中心とする前記原点を通る円の前記原点における接線の水平方向に対する傾斜角
ｂ１：前記円の半径をＲとしたとき、前記ロータの回転中心を中心とする半径が０．９７Ｒの円と、前記ドア頂部を通る直線ｘ＝Ｌとの２つの交点のうちの下方の点を通る傾きがｔａｎ（θ＋４５）の直線の切片
ｂ２：前記円の半径をＲとしたとき、前記ロータの回転中心を中心とする半径が１．０５Ｒの円と、前記ドア頂部を通る直線ｘ＝Ｌとの２つの交点のうちの下方の点を通る傾きがｔａｎ（θ＋４１）の直線の切片
なお、前記半径Ｒは、前記チャンバの内壁面の円形状部の半径である。
【請求項６】
請求項３〜５のいずれかに記載のドアにおいて、
０≦ｘ≦０．５Ｌの範囲の前記外形が、式（４）を満たす領域を通過する直線とされている、
ゴム混練機の排出口を開閉するドア。
ｔａｎ（θ＋１６）×ｘ≦ｙ≦ｔａｎ（θ＋２６）×ｘ  ・・・・・式（４）
θ：ゴム混練機のロータの回転中心を中心とする前記原点を通る円の前記原点における接線の水平方向に対する傾斜角
【請求項７】
請求項３〜６のいずれかに記載のドアにおいて、
０．５Ｌ≦ｘ≦０．７５Ｌの範囲の前記外形が、式（５）を満たす領域を通過する直線とされている、
ゴム混練機の排出口を開閉するドア。
2018118509.tif 000007
・・・・・式（５）
θ：ゴム混練機のロータの回転中心を中心とする前記原点を通る円の前記原点における接線の水平方向に対する傾斜角
【請求項８】
請求項３〜７のいずれかに記載のドアにおいて、
０．７５Ｌ≦ｘ≦Ｌの範囲の前記外形が、式（６）を満たす領域を通過する直線とされている、
ゴム混練機の排出口を開閉するドア。
ｔａｎ（θ＋４８）×ｘ＋ｂ４≦ｙ≦ｔａｎ（θ＋３９）×ｘ＋ｂ３  ・・・・式（６）
θ：ゴム混練機のロータの回転中心を中心とする前記原点を通る円の前記原点における接線の水平方向に対する傾斜角
ｂ３：前記円の半径をＲとしたとき、前記ロータの回転中心を中心とする半径が１．０１Ｒの円と、前記ドア頂部を通る直線ｘ＝Ｌとの２つの交点のうちの下方の点を通る傾きがｔａｎ（θ＋３９）の直線の切片
ｂ４：前記円の半径をＲとしたとき、前記ロータの回転中心を中心とする半径が１．０１Ｒの円と、前記ドア頂部を通る直線ｘ＝Ｌとの２つの交点のうちの下方の点を通る傾きがｔａｎ（θ＋４８）の直線の切片
なお、前記半径Ｒは、前記チャンバの内壁面の円形状部の半径である。
【請求項９】
請求項５に記載のドアにおいて、
前記ドア頂部の長手方向の中央部は凹部とされており、
前記凹部に温度計が設置され、
長手方向に直交する断面視において、前記凹部を除く部分の、前記山形状の外形が、前記複数の直線で構成されている、
ゴム混練機の排出口を開閉するドア。
【請求項１０】
請求項９に記載のドアにおいて、
前記凹部は、当該ドアの長手方向に直交する断面視において左右対称の山形状とされており、
前記凹部を除く部分の前記ドア頂部の高さをＴ１とし、前記凹部の山形状の頂部の高さをＴ２としたとき、
０．７１Ｔ１≦Ｔ２≦０．９６Ｔ１を満たし、
且つ、前記式（３）の中の右式で特定される、前記凹部を除く部分の前記ドア頂部の高さをＴｘとしたとき、
０．７９Ｔｘ≦Ｔ２も満たし、
当該ドアの長手方向から視たときに、前記温度計の先端部が、前記ドア頂部と、前記凹部の山形状の頂部との間に配置されている、
ゴム混練機の排出口を開閉するドア。
【請求項１１】
請求項９または１０に記載のドアにおいて、
前記凹部は、当該ドアの長手方向に直交する断面視において左右対称の山形状とされており、
前記凹部の山形状の頂部の長手方向の長さが、前記温度計の直径よりも長く、且つ、当該ドアの長手方向の長さの１／２未満の長さとされている、
ゴム混練機の排出口を開閉するドア。
【発明の詳細な説明】
【技術分野】
【０００１】
本発明は、ゴム混練機のチャンバの底部に形成された排出口に設けられ、当該排出口を開閉するドアに関する。
【背景技術】
【０００２】
この種のドアとして、例えば特許文献１，２に記載のものがある。
【０００３】
特許文献１に記載のドア（排出ドア）は、次のようにして特定される形状を有する。密閉混合室の排出口と排出ドアとの接点（Ｄ），（Ｅ）と、混練用ロータの回転中心（Ａ），（Ｂ）とを結ぶ線上（Ｌ1 ），（Ｌ2）上に、半径（Ｓ）の中心（Ｑ）を夫々設ける。この中心（Ｑ）を支点として、接点（Ｄ），（Ｅ）を通る円弧を夫々描く。この円弧の交点を排出ドアの先端（Ｐ）とする。排出ドアの旋回中心（Ｏ）を支点として半径（Ｒ）の円弧を描いた時、先端（Ｐ）が、前記接点（Ｄ）及び回転する混練用ロータの先端と干渉せず、かつ前記中心（Ｑ）ができるだけ混練用ロータの回転中心（Ａ），（Ｂ）に近づくように排出ドアの先端形状を形成する。
【０００４】
上記形状の排出ドアにより、密閉混合室内でコンパウンドの混練を効率良く行うことが出来ると共に、密着し易いコンパウンドを混練しても、コンパウンドの放出時に全部が排出されずに排出口の周縁部と排出ドアとの間に挟まったり、排出口の周縁部と排出ドアとの隙間に付着することがなく、コンパウンドの排出を簡単に、しかも効率良く行うことが出来る、と特許文献１に記載されている。
【０００５】
特許文献２に記載のドア（ドロップドア）は、次のようにして特定される形状を有する。ドロップドアの高さｈとチャンバの半径Ｒとの比α（＝ｈ／Ｒ）が、０．６≦α≦０．８とされる。
【０００６】
上記形状のドロップドアにより、混練室内での混合・分散作用が向上し、均一な混練物を短時間で得ることが可能になる。また、ドロップドア上部とロータとで形成される空間も少なくなるため、配合剤や被混練物の滞留、固着等も減少する、と特許文献２に記載されている。
【先行技術文献】
【特許文献】
【０００７】
【特許文献１】特許第２５６２３９６号公報
【特許文献２】特開平８−３３２６３０号公報
【発明の概要】
【発明が解決しようとする課題】
【０００８】
被混練材料としてシート状のゴム（ゴムシート）が、ゴム混練機に投入されて混練される場合がある。ゴムシートは、チャンバへの投入初期の固体状態のとき（シート状のとき）に、ロータ（混練ロータ）に巻き込まれて巻き付いてしまうことがある。
【０００９】
特許文献１，２に記載のドアは、いずれのドアにおいても、ゴムと接する混練室側の斜面の全てが滑らかな連続する曲面とされている。なお、特許文献２に記載のドアについては、その頂部の僅かな部分は水平方向に延びる直線とされている。このような形状のドアの場合、当該ドアへのゴムの付着は抑制される。しかしながら、被混練材料がゴムシートの場合、ドア部分でゴムが滞留しにくい。そのため、ロータへのゴムシートの巻き込みが、発生しやすい。
【００１０】
本発明は、上記実情に鑑みてなされたものであり、その目的は、混練対象であるゴムが、ロータに巻き込まれることを抑制することができる、ゴム混練機の排出口を開閉するドアを提供することである。
【課題を解決するための手段】
【００１１】
本発明は、ゴム混練機のチャンバの底部に形成された排出口を開閉する、前記チャンバに挿入される側が左右対称の山形状とされたドアである。このドアは、長手方向に直交する断面視において、前記山形状の外形が、前記排出口の内方側開口端と接するドア下端角部と、鉛直方向に最も高いドア頂部との間において、相互に異なる角度で水平方向に対して傾斜した複数の直線で構成されている。
【発明の効果】
【００１２】
上記構成のドアによれば、チャンバ内のドア近傍においてゴムをある程度滞留させることができ、これにより、ロータへのゴムの巻き込みを抑制することができる。
【図面の簡単な説明】
【００１３】
【図１】本発明の一実施形態に係るドアを備えるゴム混練機の断面図である。
【図２】図１に示すドアを含む複数の実施形態に係るドアの山形状部分の外形（主に片側のみ）を示す図である。
【図３】従来形状のドアに対する本発明の実施形態の形状のドアのＣＶ値比を示すグラフである。
【図４】０．７５Ｌ≦ｘ≦Ｌの範囲のドア外形（直線）の作図方法を説明するための図である。
【図５】ゴムの分配混合をより向上させることができる０．７５Ｌ≦ｘ≦Ｌの範囲のドア外形（直線）の作図方法を説明するための図である。
【図６】本発明の一実施形態に係るドアの長手方向の中央部の断面図である。
【図７】本発明の一実施形態に係るドアの長手方向に沿う方向の断面図である。
【発明を実施するための形態】
【００１４】
以下、本発明を実施するための形態について図面を参照しつつ説明する。
【００１５】
（ゴム混練機の構成）
図１を参照しつつ、本発明の一実施形態に係るドア３２を備えるゴム混練機１００の構成について説明する。なお、本発明のドアを備えるゴム混練機の混練対象であるゴムは、形状がシート状のゴム（ゴムシート）に限定されることはない。
【００１６】
ゴム混練機１００は、被混練材料であるゴムの混練を行う装置であって、供給部２０と、混練部３０とを備える。供給部２０は、混練部３０に被混練材料を供給する部分であり、ホッパ２１と、材料供給筒２２と、シリンダ装置２３とを備える。
【００１７】
ホッパ２１には、ゴム混練機１００の外部から混練対象のゴム（被混練材料）が投入される。材料供給筒２２は、被混練材料が通ることが可能な筒である。材料供給筒２２の上部は、ホッパ２１に連通する。
【００１８】
シリンダ装置２３は、材料供給筒２２から混練部３０（後述する混練室３３）に被混練材料を押し込む装置である。シリンダ装置２３は、例えば空圧式のアクチュエータである。シリンダ装置２３は、シリンダ２４と、ピストン２５と、ピストンロッド２６と、フローティングウェイト２７とを備える。
【００１９】
ピストンロッド２６の下端部に連結されたフローティングウェイト２７は、ホッパ２１から投入された被混練材料を混練室３３に押し込む部材である。
【００２０】
混練部３０は、被混練材料を混練する部分であり、チャンバ３１と、チャンバ３１の底部に形成された排出口３７を開閉（開放および閉止）するドア３２と、一対のロータ３４・３５（混練ロータ）とを備える。
【００２１】
チャンバ３１は、内部に混練室３３を形成する部分であり、その上部に被混練材料の供給口３６が設けられている。この供給口３６部分にめがけて、その上方から、フローティングウェイト２７が降下させられる。
【００２２】
混練室３３は、被混練材料が混練される空間である。混練室３３の縦断面形状は、まゆ型である。この縦断面形状は、ロータ３４・３５の軸方向から見たときの混練室３３の断面形状である。
【００２３】
ドア３２は、アクチュエータにより駆動されることで、チャンバ３１の排出口３７を開閉する。チャンバ３１の排出口３７は、被混練材料の混練中はドア３２により閉止され、混練が終了したゴム（混練物）をチャンバ３１から出すときに開放される。ドア３２を駆動するアクチュエータは、例えば回転式アクチュエータ（ロータリアクチュエータ）である。ドア３２（ドアの形状）は、チャンバ３１内（混練室３３内）でロータ３４・３５によって混練されるゴムの混練度におよぼす影響が大きい。
【００２４】
ロータ３４・３５は、被混練材料を混練する部材であり、チャンバ３１内（混練室３３内）に配置される。ロータ３４・３５は、その中心軸まわりに回転する。ロータ３４・３５の回転中心Ｃを、図１に示している。ロータ３４・３５は、対向する部分が下方に移動するように、互いに異なる方向に回転する。
【００２５】
（ドアの形状）
ドア３２について詳述する。ドア３２は、チャンバ３１に挿入される側が山形状とされている。なお、この山形状は、当該ドア３２の長手方向に直交する断面視において、左右対称の形状である。
【００２６】
例えば図１中のドア３２部分、および図２中の外形４を参照されたい。本発明の実施形態に係るドア３２は、長手方向に直交する断面視において、上記山形状の外形４が、排出口３７の内方側開口端と接するドア下端角部３２ａと、鉛直方向に最も高いドア頂部３２ｂとの間において、相互に異なる角度で水平方向に対して傾斜した３つの直線４ａ〜４ｃで構成されている。なお、図２は、長手方向に直交するドアの断面視において、当該ドアの山形状部分の外形（主に片側のみ）を示す図である。また、図２中の一点鎖線は、中心線である。
【００２７】
図２には、本発明の実施形態に係る、外形１から外形９まで計９つのドアの形状を示している。図２に示すように、外形１〜９は、ドア下端角部３２ａとドア頂部との間が、ドア下端角部３２ａからドア頂部へ向けて、順に、直線１ａ〜９ａ、直線１ｂ〜９ｂ、および直線１ｃ〜９ｃという、相互に異なる角度で水平方向に対して傾斜した３つの直線でそれぞれ構成されている。なお、図２中において「従来技術」と付記した点線で示すドア（エキセントリックドア）の外形は、ドア頂部を除いて全て滑らかな連続する曲面である。なお、この従来技術のドア頂部の僅かな部分は、水平方向に延びる直線とされている。
【００２８】
本発明者らは、図２に示す外形１〜９の計９つのドア、図２に示す従来技術形状のドア、について、ロータ３４・３５へのゴムの巻き込み、ゴムの混練度への影響、およびドアへのゴムの付着性、について評価した。評価結果を表１に示す。なお、被混練材料としてのゴムは、初期形態（投入時の形態）がシート状のゴム（ゴムシート）とした。
【００２９】
【表１】
2018118509.tif 000003
【００３０】
［表１の説明］
巻き込み  ○：巻き込み抑制効果有り
×：巻き込み抑制効果無し
混練度    ◎：非常に良い
○：良い
×：悪い
付着      ○：付着無し
△：配合によっては付着有り
【００３１】
［ゴムの巻き込みについて］
従来技術では、ゴムと接する混練室３３側の斜面の全てが滑らかな連続する曲面とされている。これに対して、本発明のドアでは、図２に示す外形１〜９のように、ゴムと接する混練室３３側の斜面が、ドア下端角部３２ａからドア頂部へ向けて、順に、直線１ａ〜９ａ、直線１ｂ〜９ｂ、および直線１ｃ〜９ｃという、相互に異なる角度で水平方向に対して傾斜した３つの直線のみで構成される。これにより、チャンバ３１内（混練室３３内）のドア近傍においてゴムをある程度滞留させることができ、ロータ３４・３５へのゴムの巻き込みを抑制することができる。外形１〜９の計９つのドアは、全て、ゴムの巻き込み抑制効果を有し、これに対して、従来技術形状のドアは、ゴムの巻き込み抑制効果を有さない。この評価を、○、×で表１に示している。
【００３２】
［混練度への影響について］
図３は、図２に示す従来形状のドアに対する、図２に示す本発明の実施形態の外形１〜９のドアのＣＶ値比を示すグラフである。ここで、ＣＶ値は、値が小さい程、ゴムの分配混合が進んでいると判断できる指標である。また、ＣＶ値比は、図２に示す従来技術形状のドアのＣＶ値を１としたときの各ドアのＣＶ値（ＣＶ値の比）のことである。ＣＶ値比は、その値が小さい程、ゴムの分配混合がより改善していることを示す。従来技術を含む計１０のドアについて流動解析を行った時の、ロータ３４・３５が１０回転した後のＣＶ値比を図３のグラフに示している。
【００３３】
図３からわかるように、従来技術形状のドア（エキセントリックドア）よりもＣＶ値が１０％以上改善したドアは、外形３、外形４、外形５、および外形６の４つのドアであった。また、ＣＶ値が１０％未満の改善となったドアは、外形２、外形８、および外形９の３つのドアであった。なお、外形１、および外形７の２つのドアは、従来技術形状のドアよりも若干ではあるがＣＶ値が悪化した。これらの結果を、◎、○、×で表１に示している。
【００３４】
［ゴムの付着性について］
従来技術を含む計１０のドアについて流動解析を行うことにより、各ドアへのゴムの付着性について評価した。表１に示すように、従来技術形状のドア、本発明の実施形態の外形２〜６、８、９の各ドアについては、ゴムの付着が認められなかったが、本発明の実施形態の外形１、７の各ドアについては、ゴムの配合によってはゴムの付着が認められた。
【００３５】
［より好ましいドア形状について］
ドアの形状に関し、前記したように、長手方向に直交する断面視において、山形状の外形１が、ドア下端角部３２ａと、鉛直方向に最も高いドア頂部との間において、相互に異なる角度で水平方向に対して傾斜した３つの直線で構成されていることで、チャンバ３１内（混練室３３内）のドア近傍においてゴムをある程度滞留させることができ、これにより、ロータ３４・３５へのゴムの巻き込みを抑制することができる。
【００３６】
<１．ゴムの巻き込み抑制に加えて、ドアへのゴム付着を抑制しつつ、且つゴムの分配混合を向上させることができるドア形状>
図２、４、５を参照しつつ、より好ましいドア形状について説明する。ここで、長手方向に直交する断面視において、ドア下端角部３２ａを原点Ｏ、水平方向をｘ軸（図４，５参照）、水平方向におけるドア下端角部３２ａからドア頂部への方向をｘ軸の正（図４，５中のｘ軸の矢印参照）とする。また、鉛直方向をｙ軸（図４，５参照）、鉛直方向におけるドア下端角部３２ａからドア頂部への方向をｙ軸の正（図４，５中のｙ軸の矢印参照）、原点Ｏとドア頂部との間の水平方向の距離をＬとする。外形１〜９は、それぞれ、０≦ｘ≦０．５Ｌの範囲が直線１ａ〜９ａとされ、０．５Ｌ≦ｘ≦０．７５Ｌの範囲が直線１ｂ〜９ｂとされ、且つ０．７５Ｌ≦ｘ≦Ｌの範囲が直線１ｃ〜９ｃとされている。
【００３７】
ドアへのゴムの付着に関し、ドア下端角部３２ａから水平方向に０．７５Ｌ（０≦ｘ≦０．７５Ｌ）の範囲は、ドア頂部側に比べてゴムが付着しやすい領域である。
【００３８】
表１に示す評価結果より、ドアの０≦ｘ≦０．５Ｌの範囲における、ドアへのゴム付着を抑制することができるドアの外形は、次の式（１）を満たす領域を通過する、水平方向に対して傾斜する直線とされていることである。
【００３９】
ｔａｎ（θ＋１０）×ｘ≦ｙ≦ｔａｎ（θ＋３１）×ｘ  ・・・・・式（１）
θ：ゴム混練機１００のロータの回転中心Ｃを中心とする原点Ｏを通る半径Ｒの円の原点Ｏにおける接線の水平方向に対する傾斜角（図４，５参照）
【００４０】
なお、半径Ｒは、チャンバ３１の内壁面の円形状部の半径（図１参照）である。また、式（１）の中の左側の直線式は、外形９の直線９ａ（図２参照）を示し、式（１）の中の右側の直線式は、外形６，８の直線６ａ，８ａ（図２参照）を示す。
【００４１】
次に、ドアの０．５Ｌ≦ｘ≦０．７５Ｌの範囲における、ドアへのゴム付着を抑制することができるドアの外形は、次の式（２）を満たす領域を通過する、水平方向に対して傾斜する直線とされていることである。
【００４２】
2018118509.tif 000004
・・・・・式（２）
θ：ゴム混練機１００のロータの回転中心Ｃを中心とする原点Ｏを通る半径Ｒの円の原点Ｏにおける接線の水平方向に対する傾斜角（図４，５参照）
【００４３】
なお、半径Ｒは、チャンバ３１の内壁面の円形状部の半径（図１参照）である。また、式（２）の中の左側の直線式は、外形９の直線９ｂ（図２参照）を示し、式（２）の中の右側の直線式は、外形６，８の直線６ｂ，８ｂ（図２参照）を示す。
【００４４】
ゴムの分配混合（混練）においては、ドアのドア頂部側の形状の影響が大きい。そのため、ドアの０．７５Ｌ≦ｘ≦Ｌの範囲の山形状領域は、ゴムの分配混合が向上する領域である。
【００４５】
ドアの０．７５Ｌ≦ｘ≦Ｌの範囲における、ゴムの分配混合を従来よりも向上させることができるドアの外形は、次の式（３）を満たす領域を通過する、水平方向に対して傾斜する直線とされていることである。
【００４６】
ｔａｎ（θ＋４１）×ｘ＋ｂ２≦ｙ≦ｔａｎ（θ＋４５）×ｘ＋ｂ１  ・・・・式（３）
θ：ゴム混練機１００のロータの回転中心Ｃを中心とする原点Ｏを通る半径Ｒの円の原点Ｏにおける接線の水平方向に対する傾斜角（図４，５参照）
ｂ１：ロータの回転中心Ｃを中心とする半径Ｒ１が０．９７Ｒの円と、ドア頂部を通る直線ｘ＝Ｌとの２つの交点のうちの下方の点Ｐ１を通る傾きがｔａｎ（θ＋４５）の直線の切片（切片のｙ座標）（図４参照）
ｂ２：ロータの回転中心Ｃを中心とする半径Ｒ２が１．０５Ｒの円と、ドア頂部を通る直線ｘ＝Ｌとの２つの交点のうちの下方の点Ｐ２を通る傾きがｔａｎ（θ＋４１）の直線の切片（切片のｙ座標）（図４参照）
【００４７】
なお、半径Ｒは、チャンバ３１の内壁面の円形状部の半径（図１参照）である。また、上記したドア頂部を通る直線ｘ＝Ｌは、２つのロータ３４・３５の中心を結ぶ線分の垂直二等分線でもある。また、式（３）の中の左側の直線式は、外形９の直線９ｃ（図２参照）を示し、式（３）の中の右側の直線式（式（３）の中の右式）は、外形８の直線８ｃ（図２参照）を示す。
【００４８】
ロータ３４・３５へのゴムの巻き込み抑制に加えて、ドアへのゴム付着を抑制しつつ、且つゴムの分配混合を向上させることができるドア形状について、前記記載をまとめると、ドアの形状は、当該ドアの山形状部分に関し、０≦ｘ≦０．５Ｌの範囲の外形が、上記式（１）を満たす領域を通過する水平方向に対して傾斜する直線とされ、０．５Ｌ≦ｘ≦０．７５Ｌの範囲の外形が、上記式（２）を満たす領域を通過する水平方向に対して傾斜する直線とされ、且つ、０．７５Ｌ≦ｘ≦Ｌの範囲の外形が、上記式（３）を満たす領域を通過する水平方向に対して傾斜する直線とされていることである。但し、これらの３つの直線の水平方向に対する傾斜角度は、相互に異なる。
【００４９】
<２．前記したドアよりも、ゴムの分配混合をさらに向上させることができるドア形状>
表１に示す評価結果より、ゴムの巻き込み抑制に加えて、ドアへのゴム付着を抑制しつつ、且つゴムの分配混合をさらに向上させることができる（ＣＶ値が１０％以上改善）ドアの山形状部分の外形は、０≦ｘ≦０．５Ｌの範囲の前記外形が、さらに次の式（４）を満たす領域を通過する、水平方向に対して傾斜する直線とされていることである。
【００５０】
ｔａｎ（θ＋１６）×ｘ≦ｙ≦ｔａｎ（θ＋２６）×ｘ  ・・・・・式（４）
θ：ゴム混練機１００のロータの回転中心Ｃを中心とする原点Ｏを通る半径Ｒの円の原点Ｏにおける接線の水平方向に対する傾斜角（図４，５参照）
【００５１】
なお、半径Ｒは、チャンバ３１の内壁面の円形状部の半径（図１参照）である。また、式（４）の中の左側の直線式は、外形３の直線３ａ（図２参照）を示し、式（４）の中の右側の直線式は、外形５の直線５ａ（図２参照）を示す。
【００５２】
次に、ゴムの巻き込み抑制に加えて、ドアへのゴム付着を抑制しつつ、且つゴムの分配混合をさらに向上させることができる（ＣＶ値が１０％以上改善）ドアの山形状部分の外形は、０．５Ｌ≦ｘ≦０．７５Ｌの範囲の前記外形が、さらに次の式（５）を満たす領域を通過する、水平方向に対して傾斜する直線とされていることである。
【００５３】
2018118509.tif 000005
・・・・・式（５）
θ：ゴム混練機１００のロータの回転中心Ｃを中心とする原点Ｏを通る半径Ｒの円の原点Ｏにおける接線の水平方向に対する傾斜角（図４，５参照）
【００５４】
なお、半径Ｒは、チャンバ３１の内壁面の円形状部の半径（図１参照）である。また、式（５）の中の左側の直線式は、外形３の直線３ｂ（図２参照）を示し、式（５）の中の右側の直線式は、外形５の直線５ｂ（図２参照）を示す。
【００５５】
また、ゴムの巻き込み抑制に加えて、ドアへのゴム付着を抑制しつつ、且つゴムの分配混合をさらに向上させることができる（ＣＶ値が１０％以上改善）ドアの山形状部分の外形は、０．７５Ｌ≦ｘ≦Ｌの範囲の前記外形が、さらに次の式（６）を満たす領域を通過する、水平方向に対して傾斜する直線とされていることである。
【００５６】
ｔａｎ（θ＋４８）×ｘ＋ｂ４≦ｙ≦ｔａｎ（θ＋３９）×ｘ＋ｂ３  ・・・・式（６）
θ：ゴム混練機１００のロータの回転中心Ｃを中心とする原点Ｏを通る半径Ｒの円の原点Ｏにおける接線の水平方向に対する傾斜角（図４，５参照）
ｂ３：ロータの回転中心Ｃを中心とする半径Ｒ３が１．０１Ｒの円と、ドア頂部を通る直線ｘ＝Ｌとの２つの交点のうちの下方の点Ｐ３を通る傾きがｔａｎ（θ＋３９）の直線の切片（切片のｙ座標）（図５参照）
ｂ４：ロータの回転中心Ｃを中心とする半径Ｒ３が１．０１Ｒの円と、ドア頂部を通る直線ｘ＝Ｌとの２つの交点のうちの下方の点Ｐ３を通る傾きがｔａｎ（θ＋４８）の直線の切片（切片のｙ座標）（図５参照）
【００５７】
なお、半径Ｒは、チャンバ３１の内壁面の円形状部の半径（図１参照）である。また、上記したドア頂部を通る直線ｘ＝Ｌは、２つのロータ３４・３５の中心を結ぶ線分の垂直二等分線でもある。また、式（６）の中の左側の直線式は、外形３の直線３ｃ（図２参照）を示し、式（６）の中の右側の直線式は、外形５の直線５ｃ（図２参照）を示す。
【００５８】
（ドアへの温度計取り付けについて）
図６，７を参照しつつ、ドア３２への温度計４０取り付けについて説明する。図６，７に示すように、ドア頂部３２ｂの長手方向の中央部は凹部３８とされている。この凹部３８部分には孔３９があけられており、当該孔３９に温度計４０が挿入されて固定されている（設置されている）。この凹部３８部分は、図６に示すように、曲面とされている。
【００５９】
長手方向に直交する断面視において、凹部３８を除く部分の、ドア３２の山形状の外形４が、ドア３２の長手方向の全長にわたって、左右対称の３つの直線３ａ。３ｂ、３ｃで形成されている。温度計４０は、ドア頂部３２ｂよりも上方に突出しないように設置される。この構成によると、ドア３２の温度計４０設置付近でのゴムの付着を防止することができる。
【００６０】
図６に示すように、上記の凹部３８は、ドア３２の長手方向に直交する断面視において左右対称の山形状とされている。ここで、凹部３８を除く部分のドア頂部３２ｂの高さ（高さ寸法）をＴ１とし、凹部３８の山形状の頂部３８ｂの高さ（高さ寸法）をＴ２としたとき、０．７１Ｔ１≦Ｔ２≦０．９６Ｔ１を満たし、且つ、前記した式（３）の中の右式（ｔａｎ（θ＋４５）×ｘ＋ｂ１）で特定される、凹部３８を除く部分のドア頂部３２ｂの高さ（高さ寸法）をＴｘとしたとき、０．７９Ｔｘ≦Ｔ２も満たし、ドア３２の長手方向から視たときに、温度計４０の先端部が、ドア頂部３２ｂと、凹部３８の山形状の頂部３８ｂとの間に配置されていることが好ましい。この構成によると、温度計４０の摩耗や折損を防止することができるとともに、チャンバ３１内を流動するゴムの温度をより正確に測定することができる。
【００６１】
また、図７に示すように、凹部３８の山形状の頂部３８ｂの長手方向の長さＤ２が、温度計４０の直径Ｄｔよりも長く、且つ、ドア３２の長手方向の長さＤ１の１／２未満の長さとされていることが好ましい。なお、凹部３８の山形状の頂部３８ｂの長手方向の長さＤ２が、ドア３２の長手方向の長さＤ１の１／２未満の長さとされているというのは、凹部３８の山形状の頂部３８ｂの長手方向の長さＤ２が、当該凹部３８以外の部分の、ドア３２の長手方向の長さ（＝Ｄ１−Ｄ２）未満の長さとされているということである。この構成によると、チャンバ３１内を流動するゴムの温度計４０設置部への付着を抑制することができるとともに、ゴムの温度をより正確に測定することができる。また、シート状のゴムの巻きつきを抑制することもできる。なお、凹部３８の山形状の頂部３８ｂの長手方向の長さＤ２は、頂部３８ｂの長手方向における一端から他端までの長さ、すなわち、温度計４０が挿入されて固定される孔３９部分を含む長さである。
【００６２】
（変形例）
前記した実施形態のドアは、その山形状部分の外形が、ドア下端角部３２ａと、ドア頂部との間において、相互に異なる角度で水平方向に対して傾斜した３つの直線とされているが、相互に異なる角度で水平方向に対して傾斜した２つの直線とされてもよい。さらには、相互に異なる角度で水平方向に対して傾斜した４つ以上の直線とされてもよい。すなわち、ドアの山形状部分の外形が、ドア下端角部３２ａと、ドア頂部との間において、円弧などの曲線、および水平方向に延びる直線を含まない、相互に異なる角度で水平方向に対して傾斜した複数の直線のみで構成されていれば、斜面の全てが滑らかな連続する曲面とされている従来形状のドアに比べて、チャンバ３１内（混練室３３内）のドア近傍においてゴムをある程度滞留させることができ、これによりロータ３４・３５へのゴムの巻き込みを抑制することができる。
【００６３】
図２からわかるように、前記した実施形態のドアでは、水平方向におけるドア下端角部３２ａからドア頂部への０．５Ｌの位置、および０．７５Ｌの位置で、その外形の直線の傾きが変化しているが、直線の傾きが変化する位置は、０．５Ｌの位置、および０．７５Ｌの位置に限られることはない。０．５Ｌの位置よりも、ドア下端角部３２ａ側で直線の傾きが変化してもよいし、ドア頂部側で直線の傾きが変化してもよい。同様に、０．７５Ｌの位置よりも、ドア下端角部３２ａ側で直線の傾きが変化してもよいし、ドア頂部側で直線の傾きが変化してもよい。
【符号の説明】
【００６４】
１〜９：外形
１ａ〜９ａ：直線
１ｂ〜９ｂ：直線
１ｃ〜９ｃ：直線
３１：チャンバ
３２：ドア
３２ａ：ドア下端角部
３２ｂ：ドア頂部
３７：排出口
３８：凹部
４０：温度計
１００：ゴム混練機
【図１】
2018118509.tif 000008
【図２】
2018118509.tif 000009
【図３】
2018118509.tif 000010
【図４】
2018118509.tif 000011
【図５】
2018118509.tif 000012
【図６】
2018118509.tif 000013
【図７】
2018118509.tif 000014